(57)【要約】【課題】封水水位より高い所定水位まで超音波洗浄を行う超音波洗浄性能の向上と本体部内の水が入口部から水受け部に溢れ出てしまう逆流の防止とを両立することができる排水装置を提供する。【解決手段】本発明の排水装置１は、水受け部６の底部に設けられ、水受け部側に開口される入口部１０と、入口部の下流側に設けられると共に封水を形成する封水形成部とを有する本体部８と、本体部内の水に超音波を発振する超音波発振器１６と、本体部の下流側に設けられる出口流路２２と、本体部内に流入する水により、本体部８内の水位を、上昇流路内の封水水位Ｗ２より高く且つ入口部１０の高さ以下の所定水位Ｗ１まで少なくとも上昇させる水位上昇手段と、本体部８内の水位が所定水位Ｗ１を超えないように、本体部８内に流入する水を出口流路２２に排水させる排水手段とを備える。【選択図】図８
2019218753.tif 000002
【特許請求の範囲】
【請求項１】
水受け部の底部に設けられる排水装置であって、
上記水受け部側に開口される入口部と上記入口部の下流側に設けられると共に封水を形成する封水形成部とを有する本体部と、
上記本体部内の水に超音波を発振する超音波発振器と、
上記本体部の下流側に設けられる出口流路と、
上記本体部内に流入する水により、上記本体部内の水位を、上記封水形成部内の封水水位より高く且つ上記入口部の高さ以下の所定水位まで少なくとも上昇させる水位上昇手段と、
上記本体部内の水位が上記所定水位を超えないように、上記本体部内に流入する水を上記出口流路に排水させる排水手段と、を備えることを特徴とする排水装置。
【請求項２】
上記水位上昇手段は、上記本体部内の水位を上記封水水位より高く且つ上記所定水位まで上昇させる間、上記本体部内に流入する水の単位時間あたりの流入量よりも上記本体部から上記出口流路に流出する水の単位時間あたりの排水量を小さくさせ、上記本体部内に流入する水を上記出口流路に流出させながら上記本体部内の水位を上昇させるように形成される、請求項１に記載の排水装置。
【請求項３】
上記排水手段は、上記本体部内の水位が上記所定水位に到達した場合、上記本体部から上記出口流路に流出する水の単位時間あたりの排水量が上記本体部内に流入する水の単位時間あたりの流入量以上にされるように形成されている、請求項１又は２に記載の排水装置。
【請求項４】
上記排水手段は、上記本体部内の水位が上記所定水位に到達した状態から、上記本体部内に水がさらに流入されている間、上記本体部内の水位を上記所定水位に維持するように形成されている、請求項３に記載の排水装置。
【請求項５】
上記排水手段は、単位時間あたりに第２排水量を上記出口流路に排水できるように形成された第２排水流路と、
上記第２排水量よりも大きな単位時間あたりの第１排水量を上記出口流路に排水できるように形成された第１排水流路と、により形成され、
上記第１排水流路は、上昇流路と上記上昇流路の下流側に設けられる下降流路とを備える流路であると共に上記上昇流路と上記下降流路との間の頂部により上記所定水位を規定し、
上記第２排水流路は、上記封水水位を規定する、請求項３又は４に記載の排水装置。
【請求項６】
上記水位上昇手段は、上記本体部内に流入する水の単位時間あたりの流入量が上記第２排水流路の単位時間あたりの上記第２排水量を超えることにより、上記本体部内に流入する水が、上記本体部内の水位を上記第１排水流路により規定される上記所定水位まで上昇させるように形成される、請求項５記載の排水装置。
【請求項７】
上記第２排水流路の入口は、上記第１排水流路の上記頂部よりも低い高さに設けられている、請求項６に記載の排水装置。
【請求項８】
上記第１排水流路の上記頂部が、上記本体部の上記入口部の高さに設けられることにより、上記第１排水流路により規定される上記所定水位は、上記本体部の上記入口部の高さとされる、請求項７記載の排水装置。
【請求項９】
上記第２排水流路は、上記第２排水流路の入口から上記出口流路まで下方向きに延びる、請求項８に記載の排水装置。
【請求項１０】
さらに、上記本体部内の流路上に設けられ且つ網目を有する網かごを備え、
上記所定水位は、上記網かごの底面よりも高い位置に規定され、
上記封水水位は、上記網かごより下方に規定される、請求項１乃至９の何れか１項に記載の排水装置。
【請求項１１】
上記所定水位は、上記網かごの上部に規定される、請求項１０に記載の排水装置。
【発明の詳細な説明】
【技術分野】
【０００１】
本発明は、排水装置に係り、特に、水受け部の底部に設けられる排水装置に関する。
【背景技術】
【０００２】
従来から、特許文献１に示すように、シンクの底面に設けられ且つ超音波発信器を備えている排水装置が知られている。この排水装置においては、使用者が排水装置の排水部の汚れを落とそうとする際、使用者は操作部のスイッチを入操作する。操作部の入操作により、排水部の排水弁が閉じられると共に給水弁が開かれて排水部内に水が給水される。排水部内に水が貯められた状態で超音波洗浄が行われ、排水部内の汚れが洗浄される。
【０００３】
また、特許文献２に示すように、シンクの底面に設けられ且つ超音波発信器を備えている排水装置が知られている。この排水装置においては、使用者が超音波洗浄を行う際、使用者は操作部の操作ボタンを押し、排水装置の排水孔を閉止させる。排水孔が閉じられた状態でシンクに水が流されると、水が排水装置の排水容器に溜められる。排水容器に水が貯められた状態で超音波洗浄が行われ、排水部内の汚れが洗浄される。
【先行技術文献】
【特許文献】
【０００４】
【特許文献１】特開２００４−３２４１０８号公報
【特許文献２】特開２００７−２８５０９７号公報
【発明の概要】
【発明が解決しようとする課題】
【０００５】
しかしながら、上述のような従来の排水装置では、排水弁や排水孔が閉じられ排水部内に水が貯められている状態（例えば超音波洗浄中の状態）において水受け部であるシンクで水が使用された場合、その水は水受け部から排水部に流入するが、使用者が操作部の操作をしなければ水が排水部から水受け部に溢れ出てしまう懸念がある。このため、超音波洗浄中は水受け部において水を使用することが実質的に制限されてしまい、排水装置の使い勝手を著しく低下させてしまうという問題があった。
さらに、排水部において、封水水位より高い水位まで水を貯め、排水部のより上部まで超音波洗浄を行おうとすればするほど、水が排水部から水受け部に溢れ出やすくなり、水が排水部から水受け部に溢れ出てしまう逆流が問題となる。
【０００６】
そこで、本発明は、封水水位より高い所定水位まで超音波洗浄を行う超音波洗浄性能の向上と本体部内の水が入口部から水受け部に溢れ出てしまう逆流の防止とを両立することを目的としている。
【課題を解決するための手段】
【０００７】
上述した課題を解決するために、本発明は、水受け部の底部に設けられる排水装置であって、上記水受け部側に開口される入口部と、上記入口部の下流側に設けられると共に封水を形成する封水形成部とを有する本体部と、上記本体部内の水に超音波を発振する超音波発振器と、上記本体部の下流側に設けられる出口流路と、上記本体部内に流入する水により、上記本体部内の水位を、上記封水形成部内の封水水位より高く且つ上記入口部の高さ以下の所定水位まで少なくとも上昇させる水位上昇手段と、上記本体部内の水位が上記所定水位を超えないように、上記本体部内に流入する水を上記出口流路に排水させる排水手段と、を備えることを特徴としている。
このように構成された本発明においては、水位上昇手段により、本体部内に流入する水によって、上記本体部内の水位を、封水形成部内の封水水位より高く且つ上記入口部の高さ以下の所定水位まで少なくとも上昇させ、本体部内の水位を所定水位まで上昇させた状態において、封水水位より高い所定水位まで超音波発振器による超音波洗浄ができる。
また、排水手段により、本体部内の水位が上記所定水位を超えないように、上記所定水位を超える水を上記出口流路に排水させる。これにより、本体部内の水位が上記所定水位を超えて、本体部内の水が入口部から水受け部に溢れ出てしまうことが防止できる。
従って、本発明によれば、封水水位より高い所定水位まで超音波洗浄を行う超音波洗浄性能の向上と本体部内の水が入口部から水受け部に溢れ出てしまう逆流の防止とを両立することができる。
【０００８】
本発明において、好ましくは、上記水位上昇手段は、上記本体部内の水位を上記封水水位より高く且つ上記所定水位まで上昇させる間、上記本体部内に流入する水の単位時間あたりの流入量よりも上記本体部から上記出口流路に流出する水の単位時間あたりの排水量を小さくさせ、上記本体部内に流入する水を上記出口流路に流出させながら上記本体部内の水位を上昇させるように形成される。
このように構成された本発明においては、水位上昇手段が、本体部内に流入する水を出口流路に流出させながら本体部内の水位を上昇させることができるため、超音波洗浄で剥がれた汚れが水位上昇時に本体部内に再付着することを抑制することができる。
【０００９】
本発明において、好ましくは、上記排水手段は、上記本体部内の水位が上記所定水位に到達した場合、上記本体部から上記出口流路に流出する水の単位時間あたりの排水量が上記本体部内に流入する水の単位時間あたりの流入量以上にされるように形成されている。
このように構成された本発明においては、排水手段は、上記本体部内の水位が上記所定水位に到達した場合、上記本体部から上記出口流路に流出する水の単位時間あたりの排水量が上記本体部内に流入する水の単位時間あたりの流入量以上にされるように形成されている。よって、本発明によれば、上記本体部内の水位が上記所定水位に到達した場合、上記本体部内に水がさらに流入されたとしても、上記本体部内の水位が上記所定水位を超えて上昇することを防止することができ、本体部内の水が水受け部に溢れ出てしまう逆流を防止することができる。
【００１０】
本発明において、好ましくは、上記排水手段は、上記本体部内の水位が上記所定水位に到達した状態から、上記本体部内に水がさらに流入されている間、上記本体部内の水位を上記所定水位に維持するように形成されている。
このように構成された本発明においては、排水手段により、上記本体部内の水位が上記所定水位に到達した状態から、上記本体部内に水がさらに流入されている間、上記本体部内の水位を上記所定水位に維持することができる。よって、本発明によれば、本体部内の水位を所定水位に比較的長い時間にわたって維持することができ、本体部内の水位を所定水位として、超音波洗浄を効果的に行える時間を比較的長くすることができる。
【００１１】
本発明において、好ましくは、上記排水手段は、単位時間あたりに第２排水量を上記出口流路に排水できるように形成された第２排水流路と、上記第２排水量よりも大きな単位時間あたりの第１排水量を上記出口流路に排水できるように形成された第１排水流路とにより形成され、上記第１排水流路は、上昇流路と上記上昇流路の下流側に設けられる下降流路とを備える流路であると共に上記上昇流路と上記下降流路との間の頂部により上記所定水位を規定し、上記第２排水流路は、上記封水水位を規定する。
このように構成された本発明においては、排水弁のような可動部を本体部内に設けなくても、単位時間あたりに第１排水量を排水できる第１排水流路と単位時間あたりに第２排水量を排水できる第２排水流路とにより排水手段を形成することができる。さらに、第１排水流路により所定水位を規定することができ、第２排水流路により封水水位を規定することができる。よって、排水手段により、本体部内の水位が上記所定水位を超えないように、上記所定水位を超える水を上記出口流路に排水させる。これにより、本体部内の水位が上記所定水位を超えて、本体部内の水が入口部から水受け部に溢れ出てしまうことを防止することができる。
さらに、排水弁のような可動部を本体部内に設けないことにより、可動部が故障して本体部内の水が水受け部側に逆流する不具合や、可動部にシール不良が生じて本体部内の水位が上昇されず、超音波洗浄が十分にできなくなる不具合のおそれを無くすことができる。
【００１２】
本発明において、好ましくは、上記水位上昇手段は、上記本体部内に流入する水の単位時間あたりの流入量が上記第２排水流路の単位時間あたりの上記第２排水量を超えることにより、上記本体部内に流入する水が、上記本体部内の水位を上記第１排水流路により規定される上記所定水位まで上昇させるように形成される。
このように構成された本発明においては、排水弁のような可動部を本体部内に設けなくても、第１排水流路と第２排水流路とにより水位上昇手段を形成することができる。これにより、水位上昇手段は、上記本体部内に流入する水の単位時間あたりの流入量が上記第２排水流路の単位時間あたりの上記第２排水量を超えることにより、上記本体部内に流入する水が、上記本体部内の水位を上記第１排水流路により規定される上記所定水位まで上昇させることができる。
【００１３】
本発明において、好ましくは、上記第２排水流路の入口は、上記第１排水流路の上記頂部よりも低い高さに設けられている。
このように構成された本発明においては、水位上昇手段は、本体部内に流入する水により、上記本体部内の水位を、第２排水流路の入口により規定される封水水位より高く且つ上記入口部の高さ以下の所定水位まで上昇させ、本体部内の水位が所定水位まで上昇した状態で、封水水位より高い所定水位まで超音波発振器による超音波洗浄を行うことができる。
【００１４】
本発明において、好ましくは、上記第１排水流路の上記頂部が、上記本体部の上記入口部の高さに設けられることにより、上記第１排水流路により規定される上記所定水位は、上記本体部の上記入口部の高さとされる。
このように構成された本発明においては、所定水位は、本体部の入口部の高さとされ、封水水位より高い本体部の入口部まで超音波洗浄を行う超音波洗浄性能の向上と本体部内の水が入口部から水受け部に溢れ出てしまう逆流の防止とを両立することができる。
【００１５】
本発明において、好ましくは、上記第２排水流路は、上記第２排水流路の入口から上記出口流路まで下方向きに延びる。
このように構成された本発明においては、第２排水流路は、第２排水流路の入口より上方に水がある場合、第２排水流路の入口より上方にある水を流出させ続けることができる。よって、上記本体部内に流入する水を上記出口流路に流出させながら上記本体部内の水位を上昇させることができると共に、水の本体部への流入が停止した後、本体部内に存在する水を出口流路に流出させ、第２排水流路の入口により規定される封水水位まで低下させることができる。
【００１６】
本発明において、好ましくは、さらに、上記本体部内の流路上に設けられ且つ網目を有する網かごを備え、上記所定水位は、上記網かごの底面よりも高い位置に規定され、上記封水水位は、上記網かごより下方に規定される。
このように構成された本発明においては、封水水位は、上記網かごより下方に規定されるので、本体部内においてごみ等の汚れや小物体が付着しやすい網かごを封水水位よりも上に配置することができ、水が流入していない待機状態において網かごを乾燥させやすい状態とでき、雑菌などの繁殖を抑制させることができる。また、所定水位は網かごの底面よりも高い位置に規定されるので、本体部内の水位が所定水位まで上昇した状態で、ごみ等の汚れや小物体が付着しやすい網かごを超音波洗浄により洗浄することができ、網かごの汚れを抑制し、網かごの掃除の頻度や掃除をする際の負担を低減させることができる。
【００１７】
本発明において、好ましくは、上記所定水位は、上記網かごの上部に規定される。
このように構成された本発明においては、所定水位は網かごの上部に規定されるので、本体部内の水位が所定水位まで上昇した状態で、ごみ等の汚れや小物体が付着しやすい網かごを超音波洗浄により洗浄することができ、網かごの汚れを抑制し、網かごの掃除の頻度や掃除をする際の負担を低減させることができる。
【発明の効果】
【００１８】
本発明の排水装置によれば、封水水位より高い所定水位まで超音波洗浄を行う超音波洗浄性能の向上と本体部内の水が入口部から水受け部に溢れ出てしまう逆流の防止とを両立することができる。
【図面の簡単な説明】
【００１９】
【図１】本発明の一実施形態による排水装置を備えた水栓システムを正面から見た正面図である。
【図２】本発明の一実施形態による排水装置を備えた水栓システムを側面から見た側面図である。
【図３】図２のＩＩＩ−ＩＩＩ線に沿って見た断面図である。
【図４】図１のＩＶ−ＩＶ線に沿って見た断面図である。
【図５】本発明の一実施形態による排水装置において待機状態を示す部分拡大断面図である。
【図６】本発明の一実施形態による排水装置の本体部に水の流入が開始された状態を示す部分拡大断面図である。
【図７】本発明の一実施形態による排水装置の本体部にさらに水が流入し、流入した水が第２排水流路を介して出口流路に流出されると共に、第１排水流路の上昇部内の水位を上昇させる状態を示す部分拡大断面図である。
【図８】本発明の一実施形態による排水装置の本体部にさらに水が流入し、第１排水流路内の水位が所定水位まで到達した状態を示す部分拡大断面図である。
【図９】本発明の一実施形態による排水装置の本体部への水の流入が停止し、第２排水流路の入口より上方の水が第２排水流路を介して出口流路に流出され、第１排水流路内の水位が徐々に低下する状態を示す部分拡大断面図である。
【図１０】図９に示す状態から、さらに第２排水流路の入口より上方の水が第２排水流路を介して出口流路に流出され、第１排水流路内の水位が徐々に低下する状態を示す部分拡大断面図である。
【発明を実施するための形態】
【００２０】
以下、添付図面を参照して本発明の一実施形態による排水装置について説明する。
図１は、本発明の一実施形態による排水装置を備えた水栓システムを正面から見た正面図であり、図２は本発明の一実施形態による排水装置を備えた水栓システムを側面から見た側面図である。
図１及び図２に示すように、本発明の一実施形態による排水装置１は、水栓システム２に設けられている。水栓システム２は、キッチンに設けられるキッチンシステムである。水栓システム２は、洗面台システム、浴室に設けられる浴室システム、又は水が流入する後述する水受け部６を備えた他のシステムであってもよい。
【００２１】
水栓システム２は、水を供給する水栓装置４と、水栓装置４から供給された水を受ける水受け部６とを備えている。水栓装置４は、給水源（図示せず）から供給される水、湯等を吐水する。水受け部６は、水栓装置４から吐水された水を下流側に排出するように形成される。
【００２２】
次に、図１乃至図４を参照して、本発明の一実施形態による排水装置について説明する。
図３は図２のＩＩＩ−ＩＩＩ線に沿って見た断面図であり、図４は図１のＩＶ−ＩＶ線に沿って見た断面図である。
排水装置１は、水受け部６の底部６ａに設けられる。排水装置１は、本体部８を備え、この本体部８は水受け部６側に開口される入口部１０と、入口部１０の下流側に設けられるトラップ形状の流路である第１排水流路１２とを有している。入口部１０は、底部６ａの一部が底部６ａの底面６ｂよりも下方に窪むことにより形成されている。なお、本体部８には、水受け部６からの流路とは別の水の供給流路が接続されていてもよい。別の水の供給流路は、別の給水源（図示せず）に接続される。本体部８内に流入する水には、水受け部６からの流路とは別の水の供給流路から本体部８内に流入する水も含まれる。また、本体部８内に流入する水には、洗剤、シャンプー、ボディーソープ、食器の汚れ、水受け部の汚れ等のいずれかを含むような水、例えば生活排水も含まれる。
【００２３】
排水装置１は、さらに、入口部１０の上方を覆うように配置される蓋１４と、本体部８内の水に超音波を発振する超音波発振器１６と、本体部８内の水位を検知する水位検知センサ１８と、超音波発振器１６の作動を制御する制御部２０と、本体部８の第１排水流路１２の下流側に設けられる出口流路２２と、本体部８内の流路上に設けられ且つ網目を有する網かご２４と、網かご２４の下方に設けられる封水筒２５とを備えている。
【００２４】
蓋１４は、底面６ｂと並べて配置され、底面６ｂと連続した底面を形成するように配置される。蓋１４には、水やごみ等の小物体が流入する孔（図示せず）が形成されている。
超音波発振器１６は、本体部８内の入口部１０の下方に設けられている。超音波発振器１６は、制御部２０と電気的に接続されている。
水位検知センサ１８は、入口部１０近傍に設けられ、入口部１０まで上昇した水位を検知することができる。水位検知センサ１８は、制御部２０と電気的に接続されている。
制御部２０は、ＣＰＵ及びメモリ等を内蔵し、水位検知センサ１８から送信される水位検知信号を受信する機能を有すると共にメモリに記憶された所定の制御プログラム等に基づいて超音波発振器１６の動作を制御する。
【００２５】
網かご２４は、入口部１０の下方側の流路全体を覆うように形成される。網かご２４は、底部６ａの下方に窪んだ窪みの内部において入口部１０の下方側に配置される。網かご２４の上端は入口部１０に配置されている。網かご２４は、水を通過させる一方、ごみ等の小物体を通過させずに網かご２４内に留めるようになっている。
【００２６】
封水筒２５は、筒状に形成され、網かご２４の下部近傍からさらに下方の本体部８の底部近傍まで延びている。封水筒２５の下端は、後述する第２排水流路２６の入口２６ａより下方まで延びている。
【００２７】
次に、図２乃至図４を参照して、本発明の一実施形態による排水装置の第１排水流路１２及び第２排水流路２６について説明する。
排水装置１の本体部８の第１排水流路１２は、入口部１０の下方に接続される接続部１２ａと、排水トラップを形成するように立ち上がる上昇流路である上昇部１２ｂと、上昇部１２ｂと下降部１２ｄとの間の排水トラップの上昇部１２ｂと接続する折り返し部分である頂部１２ｃと、頂部１２ｃから下降する下降流路である下降部１２ｄとを備えている。下降部１２ｄは出口流路２２と接続される。
第１排水流路１２は、上昇部１２ｂから下降部１２ｄに向けて折り返すトラップ形状の流路である。本体部８の第１排水流路１２内において後述するように封水が形成され、封水水位Ｗ２が規定される。本体部８の第１排水流路１２の少なくとも一部、例えば上昇部１２ｂは、入口部１０の下流側に設けられると共に封水を形成する封水形成部を構成している。第１排水流路１２は、トラップ形状の流路の頂部１２ｃにより所定水位Ｗ１（図８参照）を規定している。所定水位Ｗ１は、網かご２４の底面よりも高い位置、例えば網かご２４の上部に規定されている。所定水位Ｗ１は、網かご２４の上方に規定されていてもよい。第１排水流路１２の頂部１２ｃが、本体部８の入口部１０の高さに設けられることにより、第１排水流路１２により規定される所定水位Ｗ１は、本体部８の入口部１０の高さとされる。第１排水流路１２は、後述する単位時間あたりの第２排水量よりも大きな単位時間あたりの第１排水量を出口流路２２に排水できるような第１の管径Ｄ１に形成されている。第１排水流路１２は、排水手段であり且つ水位上昇手段である。
【００２８】
排水装置１は、さらに、第１排水流路１２から分岐される第２排水流路２６を備えている。第２排水流路２６は、第１排水流路１２の頂部１２ｃより上流側に設けられた第２排水流路２６の入口２６ａから頂部１２ｃより下流側に設けられた出口流路２２まで延びるバイパス流路を形成する。第２排水流路２６の入口２６ａは、封水筒２５よりも外側の第１排水流路１２の接続部１２ａの壁面に形成されている。入口２６ａは、第２排水流路２６の流路の最も高い部分を構成する。第２排水流路２６は、入口２６ａから出口流路２２に設けられた出口２６ｂまで下方向きにほぼ直線状に延びる。この入口２６ａは、封水筒２５の下端よりも上方に配置される。第２排水流路２６は、第１排水流路１２の頂部１２ｃより上流側に設けられた入口２６ａにより封水水位Ｗ２（図５参照）を規定する。第２排水流路２６は、例えばその流路の最も高い部分により封水水位Ｗ２を規定するように構成される。例えば、第２排水流路２６の中間部分又はその出口が流路の最も高い部分を構成することにより封水水位Ｗ２を規定するように構成されてもよい。また、封水水位Ｗ２は、第２排水流路２６以外の構成により規定されていてもよい。封水水位Ｗ２は、網かご２４より下方に規定される。封水水位Ｗ２は、上昇部１２ｂの中央近傍又は下側部分に位置し、本体部８の中央近傍又は下側部分に位置している。第２排水流路２６の入口２６ａは、第１排水流路１２の頂部１２ｃよりも低い高さに設けられている。第２排水流路２６は、単位時間あたりに第２排水量を出口流路２２に排水できるような第２の管径Ｄ２に形成されている。第２排水流路２６の第２の管径Ｄ２は第１排水流路１２の第１の管径Ｄ１よりも小さい。本体部８内に流入する水の単位時間あたりの流入量が第２排水流路２６の単位時間あたりの第２排水量を超えることにより、本体部８内に流入する水が、本体部８内の水位を第１排水流路１２により規定される所定水位Ｗ１まで上昇させる。第２排水流路２６は、水位上昇手段であり、排水手段である。
【００２９】
第１排水流路１２及び第２排水流路２６は、本体部８内の水位が所定水位Ｗ１を超えないように、本体部８内に流入する水を出口流路２２に排水させる排水手段として機能する。排水手段は、第１排水流路１２及び第２排水流路２６により、本体部８内の水位が所定水位Ｗ１に到達した場合、本体部８から出口流路２２に流出する水の単位時間あたりの排水量が本体部８内に流入する水の単位時間あたりの流入量以上にされるように形成されている。排水手段は、第１排水流路１２及び第２排水流路２６により、本体部８内の水位が所定水位Ｗ１に到達した状態から、本体部８内に水が第２排水量を超える流入量でさらに流入されている間、本体部８内の水位を所定水位Ｗ１に維持するように形成されている。なお、本体部８内の水位を所定水位Ｗ１に維持する状態とは、本体部８内の水位の変動を抑制する状態である。本体部８内の水位を所定水位Ｗ１に維持する状態には、本体部８内の水位を所定水位Ｗ１に維持しようとする状態が含まれ、本体部８内の水位が多少変動したとしても本体部内の水位が所定水位Ｗ１近傍において概ね維持される状態が含まれる。
【００３０】
第１排水流路１２及び第２排水流路２６は、本体部８内に流入する水により、本体部８内の水位を、上昇部１２ｂ内の封水水位Ｗ２より高く且つ入口部１０の高さ以下の所定水位Ｗ１まで上昇させる水位上昇手段として機能する。この水位上昇手段は、第１排水流路１２及び第２排水流路２６により、本体部８内の水位を封水水位Ｗ２より高く且つ所定水位Ｗ１まで上昇させる間、本体部８内に流入する水の単位時間当たりの流入量よりも本体部８から出口流路２２に流出する水の単位時間あたりの排水量を小さくさせ、本体部８内に流入する水を出口流路２２に流出させながら本体部８内の水位を上昇させるように形成される。
【００３１】
変形例として、第１排水流路１２及び第２排水流路２６に代わり、第１排水流路１２とは異なる形状の排水トラップを有する本体部の流路が形成され、この本体部の流路を開閉する排水弁を設けてもよい。排水弁は制御部２０と電気的に接続され、制御部２０により自動的に制御される。さらに、排水弁の開度は制御部２０により制御され、排水弁の下流側の流路への排水量が制御される。本体部の流路に水が流入する場合、排水弁は制御部２０の指令により閉弁され又は開度を絞った状態の開弁状態にされ、水が所定水位Ｗ１まで上昇される。制御部２０は、水位検知センサ１８により水位が所定水位Ｗ１に到達したことを判定する。水位が所定水位Ｗ１まで到達した状態において、制御部２０の指令により超音波発振器１６が作動される。水位が所定水位Ｗ１まで到達した場合、排水弁が制御部２０の指令により開弁され又は開度を絞った状態よりも大きな開度の状態の開弁状態にされ、水が下流側に排水され、水位が維持又は低下される。排水弁が開弁された状態で、本体部から出口流路２２に流出する水の単位時間あたりの排水量が本体部内に流入する水の単位時間あたりの流入量以上にされてもよい。
【００３２】
この変形例においては、自動的に制御される排水弁が、本体部内に流入する水により、本体部内の水位を、上昇部１２ｂ内の封水水位Ｗ２より高く且つ入口部１０の高さ以下の所定水位Ｗ１まで自動的に少なくとも上昇させる水位上昇手段と、本体部内の水位が所定水位Ｗ１を超えないように、本体部内に流入する水を出口流路２２に排水させる排水手段として機能する。この水位上昇手段は、排水弁により、本体部内の水位を封水水位Ｗ２より高く且つ所定水位Ｗ１まで上昇させる間、本体部内に流入する水の単位時間あたりの流入量よりも本体部から出口流路２２に流出する水の単位時間あたりの排水量を小さくさせ、本体部内に流入する水を出口流路２２に流出させながら本体部内の水位を上昇させるように形成される。水位上昇手段は、排水弁により、少なくとも所定水位Ｗ１まで上昇させるように構成されている。排水手段は、排水弁により、本体部内の水位が所定水位Ｗ１に到達した場合、本体部から出口流路２２に流出する水の単位時間あたりの排水量が本体部内に流入する水の単位時間あたりの流入量以上となるように形成されている。排水手段は、排水弁により、本体部内の水位が所定水位Ｗ１に到達した状態から、本体部内に水がさらに流入されている間、本体部内の水位を所定水位Ｗ１に維持するように形成されている。
【００３３】
別の変形例として、第１排水流路１２及び第２排水流路２６に加えて、第２排水流路２６の入口２６ａより上方の第１排水流路１２の上昇部１２ｂと、下降部１２ｄ又は出口流路２２とを連通する第３排水流路が設けられ、この第３排水流路の入口に制御部２０の指令により制御される排水弁が設けられていてもよい。この排水弁は制御部２０と電気的に接続され、制御部２０により自動的に制御される。本体部の流路に水が流入する場合、排水弁は制御部２０の指令により閉弁され又は開度を絞った状態の開弁状態にされ、第３排水流路からの排水は停止され又は比較的少量に絞られ、水が所定水位Ｗ１まで上昇される。制御部２０は、水位検知センサ１８により水位が所定水位Ｗ１に到達したことを判定する。水位が所定水位Ｗ１まで到達した状態において、制御部２０の指令により超音波発振器１６が作動される。水位が所定水位Ｗ１まで到達した場合、排水弁が制御部２０の指令により開弁され又は開度を絞った状態よりも大きな開度の状態の開弁状態にされ、水が第３排水流路から下流側に排水され、水位が維持又は低下される。排水弁が開弁された状態で、本体部から出口流路２２に流出する水の単位時間あたりの排水量が本体部内に流入する水の単位時間あたりの流入量以上にされてもよい。この変形例における第１排水流路１２及び第２排水流路２６は、上述の一実施形態における第１排水流路１２及び第２排水流路２６より小さい管径で構成されてもよい。このような第３排水流路及び排水弁は、第１排水流路１２及び第２排水流路２６と共に水位上昇手段として機能すると共に排水手段としても機能する。
【００３４】
さらに別の変形例として、第２排水流路２６を単位時間あたりの排水量をより大きくするように形成すると共に、第２排水流路２６の入口２６ａに制御部２０の指令により制御される排水弁が設けられていてもよい。この排水弁は制御部２０と電気的に接続され、制御部２０により自動的に制御される。本体部の流路に水が流入する場合、排水弁は制御部２０の指令により閉弁され又は開度を絞った状態の開弁状態にされ、第２排水流路２６からの排水は停止され又は比較的少量に絞られ、水が少なくとも所定水位Ｗ１まで上昇される。水位上昇手段は、排水弁により、少なくとも所定水位Ｗ１まで上昇させるように構成されている。制御部２０は、水位検知センサ１８により水位が所定水位Ｗ１に到達したことを判定する。水位が所定水位Ｗ１まで到達した状態において、制御部２０の指令により超音波発振器１６が作動される。水位が所定水位Ｗ１まで到達した場合、排水弁が制御部２０の指令により開弁され又は開度を絞った状態よりも大きな開度の状態の開弁状態にされ、水が第２排水流路２６から下流側に排水され、水位が維持又は低下される。排水弁が開弁された状態で、本体部から出口流路２２に流出する水の単位時間あたりの排水量が本体部内に流入する水の単位時間あたりの流入量以上にされてもよい。この変形例における第１排水流路１２は、上述の一実施形態の第１排水流路１２より小さい管径で構成されてもよい。このような第２排水流路２６及び排水弁は、第１排水流路１２と共に水位上昇手段として機能すると共に排水手段としても機能する。
【００３５】
次に、図５乃至図１０により、上述した本発明の一実施形態による排水装置の動作（作用）を説明する。
図５は本発明の一実施形態による排水装置において待機状態を示す部分拡大断面図であり、図６は本発明の一実施形態による排水装置の本体部に水の流入が開始された状態を示す部分拡大断面図であり、図７は本発明の一実施形態による排水装置の本体部にさらに水が流入し、流入した水が第２排水流路を介して出口流路に流出されると共に、第１排水流路の上昇部内の水位を上昇させる状態を示す部分拡大断面図であり、図８は本発明の一実施形態による排水装置の本体部にさらに水が流入し、第１排水流路内の水位が所定水位まで到達した状態を示す部分拡大断面図であり、図９は本発明の一実施形態による排水装置の本体部への水の流入が停止し、第２排水流路の入口より上方の水が第２排水流路を介して出口流路に流出され、第１排水流路内の水位が徐々に低下する状態を示す部分拡大断面図であり、図１０は図９に示す状態から、さらに第２排水流路の入口より上方の水が第２排水流路を介して出口流路に流出され、第１排水流路内の水位が徐々に低下する状態を示す部分拡大断面図である。図５乃至図１０において、本体部内において水が貯留している部分を点線により図示している。
【００３６】
図５には、水栓装置４から吐水がなされる前の待機状態が示されている。待機状態においては本体部８内の水位は上昇部１２ｂ及び接続部１２ａにおいて封水水位Ｗ２となっている。封水筒２５が第２排水流路２６の入口２６ａより下方まで延び、封水水位Ｗ２より下方まで延びているので、待機状態において、出口流路２２と入口部１０とが空気的に連通され、臭気が出口流路２２から入口部１０に上がってくることが確実に防止されている。待機状態においては、水栓装置４は止水された状態であり、超音波発振器１６も停止された状態である。
【００３７】
図６に示すように、水栓装置４からの吐水が行われると、矢印Ｆ１に示すように、水が水受け部６の底面６ｂから蓋１４を通って入口部１０に流入する。矢印Ｆ２に示すように、入口部１０に流入した水は、網かご２４を通過し、封水筒２５の内側に流下する。次いで、矢印Ｆ３に示すように、封水筒２５の下端から流出する水は、封水筒２５の外側の第１排水流路１２の接続部１２ａ内に供給される。矢印Ｆ４に示すように、第１排水流路１２の接続部１２ａ内に供給された水は、第２排水流路２６の入口２６ａから第２排水流路２６を通って出口流路２２に排水される。第２排水流路２６は、単位時間あたりに第２排水量を出口流路２２に排水できる。
【００３８】
本体部８内に流入する水の単位時間あたりの流入量（又は一定時間あたりの総流入量）よりも第２排水流路２６から流出する水の単位時間あたりの第２排水量（又は一定時間あたりの総排水量）が小さい場合には、水が第２排水流路２６から流出しきれず、本体部８内に貯留する。よって、矢印Ｆ５に示すように、第１排水流路１２及び第２排水流路２６により、本体部８内に流入する水を第２排水流路２６を介して出口流路２２に流出させながら本体部８の第１排水流路１２の上昇部１２ｂ内の水位を自動的に上昇させる。
【００３９】
図７において矢印Ｆ６に示すように、さらに水が本体部８内に流入するとき、本体部８内に流入する水が、矢印Ｆ７に示すように第２排水流路２６を介して出口流路２２に流出されると共に、矢印Ｆ８に示すように本体部８の第１排水流路１２の上昇部１２ｂ内の水位を上昇させる。
【００４０】
図８において矢印Ｆ９に示すように、さらに水が本体部８内に流入するとき、第１排水流路１２の上昇部１２ｂ内の水位が第１排水流路１２の頂部１２ｃにより規定される所定水位Ｗ１まで上昇される。第１排水流路１２内の水位が所定水位Ｗ１まで到達した状態においては、本体部８内に流入する水が、矢印Ｆ１０に示すように第２排水流路２６を介して出口流路２２に流出されると共に、矢印Ｆ１１に示すように第１排水流路１２の頂部１２ｃから下降部１２ｄに流出される。
【００４１】
図８に示すように、第１排水流路１２内の水位が所定水位Ｗ１に到達した状態から、本体部８内に水が第２排水量を超える流入量でさらに流入されても、本体部８内の水位は所定水位Ｗ１に維持される。このとき、所定水位Ｗ１は、入口部１０の高さであり、網かご２４の上部に位置する。よって、本体部８の入口部１０以下の高さにある汚れが付着しやすい流路部分、例えば入口部１０、網かご２４、封水筒２５、第２排水流路２６、第１排水流路１２の接続部１２ａ、上昇部１２ｂ及び頂部１２ｃ等が概ね水に浸かっている。制御部２０は、水位検知センサ１８により水位が入口部１０まで上昇した所定水位Ｗ１となっていることを判定する。水位が所定水位Ｗ１である状態で制御部２０が超音波発振器１６を作動させることにより、本体部８の概ね全体に超音波洗浄を行うことができ、さらに本体部８内の汚れが付着しやすい流路部分、例えば入口部１０及び網かご２４に超音波洗浄を行うことができる。
【００４２】
このように、第１排水流路１２及び第２排水流路２６により、本体部８内の水位が所定水位Ｗ１を超えないように、本体部８内に流入する水を出口流路２２に排水させている。これにより、本体部８内の水位が所定水位Ｗ１を超えて、本体部８内の水が入口部１０から水受け部６の底面６ｂに溢れ出てしまうことを防止することができる。
第２排水流路２６の単位時間あたりの第２排水量を超える単位時間あたりの流入量の水が本体部８内に流入し続ける場合において、単位時間あたりの流入量が第２排水流路２６の単位時間あたりの第２排水量及び第１排水流路１２の単位時間あたりの第１排水量の合計値を超えない限り、本体部内の水位の上昇を封水水位Ｗ２から所定水位Ｗ１までの間に制御することができる。なお、第２排水流路２６の単位時間あたりの第２排水量及び第１排水流路１２の単位時間あたりの第１排水量の合計値は、水栓装置４の通常の使用態様において水栓装置４から供給される水の供給量が、この合計値を超えないような値として設定されている。
【００４３】
さらに、本実施形態においては、使用者の従来の排水流路に設けられた排水弁等の閉止操作を不要とし、本体部８内に水が供給されることにより、第１排水流路１２及び第２排水流路２６の構成に基づいて、本体部８内の水位が所定水位Ｗ１まで自動的に到達し、入口部１０及び網かご２４まで自動的に超音波洗浄を行うことができる。
【００４４】
図９及び図１０に示すように、本体部８内への水の流入がなくなる又は水の流量が低下されるとき、矢印Ｆ１２に示すように、第１排水流路１２及び第２排水流路２６により、第２排水流路２６の入口２６ａより上方の水が第２排水流路２６を介して出口流路２２に流出され、矢印Ｆ１３及びＦ１４に示すように、第１排水流路１２の接続部１２ａ及び上昇部１２ｂの水位が徐々に低下する。第２排水流路２６は、水位が入口２６ａより上方にある場合には、概ね単位時間あたりに第２排水量を排水し続けている。
【００４５】
図５に示すように、本体部８内への水の流入がなくなり、第１排水流路１２の接続部１２ａ及び上昇部１２ｂの水位が第２排水流路２６の入口２６ａまで低下すると、第２排水流路２６からの水の流出が終了し、排水装置１は待機状態に戻る。このとき本体部８内の水位は封水水位Ｗ２となっている。
【００４６】
上述した本発明の一実施形態による排水装置１によれば、水位上昇手段により、本体部８内に流入する水によって、本体部８内の水位を、上昇部１２ｂ内の封水水位Ｗ２より高く且つ入口部１０の高さ以下の所定水位Ｗ１まで少なくとも上昇させ、本体部８内の水位を所定水位Ｗ１まで上昇させた状態において、封水水位Ｗ２より高い所定水位Ｗ１まで超音波発振器１６による超音波洗浄ができる。
また、排水手段により、本体部８内の水位が所定水位Ｗ１を超えないように、所定水位Ｗ１を超える水を出口流路２２に排水させる。これにより、本体部８内の水位が所定水位Ｗ１を超えて、本体部８内の水が入口部１０から水受け部６に溢れ出てしまうことが防止できる。
従って、本発明によれば、封水水位Ｗ２より高い所定水位Ｗ１まで超音波洗浄を行う超音波洗浄性能の向上と本体部８内の水が入口部１０から水受け部６に溢れ出てしまう逆流の防止とを両立することができる。
【００４７】
また、本発明の一実施形態による排水装置１によれば、水位上昇手段が、本体部８内に流入する水を出口流路２２に流出させながら本体部８内の水位を上昇させることができるため、超音波洗浄で剥がれた汚れが水位上昇時に本体部８内に再付着することを抑制することができる。
【００４８】
さらに、本発明の一実施形態による排水装置１によれば、排水手段は、本体部８内の水位が所定水位Ｗ１に到達した場合、本体部８から出口流路２２に流出する水の単位時間あたりの排水量が本体部８内に流入する水の単位時間あたりの流入量以上にされるように形成されている。よって、本発明によれば、本体部８内の水位が所定水位Ｗ１に到達した場合、本体部８内に水がさらに流入されたとしても、本体部８内の水位が所定水位Ｗ１を超えて上昇することを防止することができ、本体部８内の水が水受け部６に溢れ出てしまう逆流を防止することができる。
【００４９】
さらに、本発明の一実施形態による排水装置１によれば、排水手段により、本体部８内の水位が所定水位Ｗ１に到達した状態から、本体部８内に水がさらに流入されている間、本体部８内の水位を所定水位Ｗ１に維持することができる。よって、本発明によれば、本体部８内の水位を所定水位Ｗ１に比較的長い時間にわたって維持することができ、本体部８内の水位を所定水位Ｗ１として、超音波洗浄を効果的に行える時間を比較的長くすることができる。
【００５０】
さらに、本発明の一実施形態による排水装置１によれば、排水弁のような可動部を本体部８内に設けなくても、単位時間あたりに第１排水量を排水できる第１排水流路１２と単位時間あたりに第２排水量を排水できる第２排水流路２６とにより排水手段を形成することができる。さらに、第１排水流路１２により所定水位Ｗ１を規定することができ、第２排水流路２６により封水水位Ｗ２を規定することができる。よって、排水手段により、本体部８内の水位が所定水位Ｗ１を超えないように、所定水位Ｗ１を超える水を出口流路２２に排水させる。これにより、本体部８内の水位が所定水位Ｗ１を超えて、本体部８内の水が入口部１０から水受け部６に溢れ出てしまうことを防止することができる。さらに、排水弁のような可動部を本体部８内に設けないことにより、可動部が故障して本体部８内の水が水受け部側に逆流する不具合や、可動部にシール不良が生じて本体部８内の水位が上昇されず、超音波洗浄が十分にできなくなる不具合のおそれを無くすことができる。
【００５１】
さらに、本発明の一実施形態による排水装置１によれば、排水弁のような可動部を本体部８内に設けなくても、第１排水流路１２と第２排水流路２６とにより水位上昇手段を形成することができる。これにより、水位上昇手段は、本体部８内に流入する水の単位時間あたりの流入量が第２排水流路２６の単位時間あたりの第２排水量を超えることにより、本体部８内に流入する水が、本体部８内の水位を第１排水流路１２により規定される所定水位Ｗ１まで上昇させることができる。
【００５２】
さらに、本発明の一実施形態による排水装置１によれば、水位上昇手段は、本体部８内に流入する水により、本体部８内の水位を、第２排水流路２６の入口により規定される封水水位Ｗ２より高く且つ入口部１０の高さ以下の所定水位Ｗ１まで上昇させ、本体部８内の水位が所定水位Ｗ１まで上昇した状態で、封水水位Ｗ２より高い所定水位Ｗ１まで超音波発振器１６による超音波洗浄を行うことができる。
【００５３】
さらに、本発明の一実施形態による排水装置１によれば、所定水位Ｗ１は、本体部８の入口部１０の高さとされ、封水水位Ｗ２より高い本体部８の入口部１０まで超音波洗浄を行う超音波洗浄性能の向上と本体部８内の水が入口部１０から水受け部６に溢れ出てしまう逆流の防止とを両立することができる。
【００５４】
さらに、本発明の一実施形態による排水装置１によれば、第２排水流路２６は、第２排水流路２６の入口より上方に水がある場合、第２排水流路２６の入口より上方にある水を流出させ続けることができる。よって、本体部８内に流入する水を出口流路２２に流出させながら本体部８内の水位を上昇させることができると共に、水の本体部８への流入が停止した後、本体部８内に存在する水を出口流路２２に流出させ、第２排水流路２６の入口により規定される封水水位Ｗ２まで低下させることができる。
【００５５】
さらに、本発明の一実施形態による排水装置１によれば、封水水位Ｗ２は、網かご２４より下方に規定されるので、本体部８内においてごみ等の汚れや小物体が付着しやすい網かご２４を封水水位Ｗ２よりも上に配置することができ、水が流入していない待機状態において網かご２４を乾燥させやすい状態とでき、雑菌などの繁殖を抑制させることができる。また、所定水位Ｗ１は網かご２４の底面よりも高い位置に規定されるので、本体部８内の水位が所定水位Ｗ１まで上昇した状態で、ごみ等の汚れや小物体が付着しやすい網かご２４を超音波洗浄により洗浄することができ、網かご２４の汚れを抑制し、網かご２４の掃除の頻度や掃除をする際の負担を低減させることができる。
【００５６】
さらに、本発明の一実施形態による排水装置１によれば、所定水位Ｗ１は網かご２４の上部に規定されるので、本体部８内の水位が所定水位Ｗ１まで上昇した状態で、ごみ等の汚れや小物体が付着しやすい網かご２４を超音波洗浄により洗浄することができ、網かご２４の汚れを抑制し、網かご２４の掃除の頻度や掃除をする際の負担を低減させることができる。
【符号の説明】
【００５７】
１      ：排水装置
６      ：水受け部
６ａ    ：底部
６ｃ    ：底面
８      ：本体部
１０    ：入口部
１２    ：第１排水流路
１２ｃ  ：頂部
１６    ：超音波発振器
２２    ：出口流路
２４    ：網かご
２６    ：第２排水流路
２６ａ  ：入口
２６ｂ  ：出口
Ｗ１    ：所定水位
Ｗ２    ：封水水位
【図１】
2019218753.tif 000003
【図２】
2019218753.tif 000004
【図３】
2019218753.tif 000005
【図４】
2019218753.tif 000006
【図５】
2019218753.tif 000007
【図６】
2019218753.tif 000008
【図７】
2019218753.tif 000009
【図８】
2019218753.tif 000010
【図９】
2019218753.tif 000011
【図１０】
2019218753.tif 000012